(57)【要約】      （修正有）【課題】ラップフィルムの切断刃の安全性を高めると共に、ラップフィルムロール体を収納容器内に確実に固定できるラップフィルムロール体収納容器を提供する。【解決手段】ラップフィルムロール体収納容器１は、ラップフィルム５１をロール５２に捲回したラップフィルムロール体５０を収納する容器本体１０を備える。また、開口端の一端１５に接続形成され、一端を軸として回動し、容器本体を開閉自在にすると共に、ラップフィルムを切断するための刃先が容器本体の内部下方に向かって傾斜して形成された切断刃６０を、前垂れ片２１の内面に固着した蓋部材２０を備える。さらに、容器本体の内部に固定され、ラップフィルムロール体を当接支持するガイド部材４０を備える。ガイド部材は、容器本体の下方に向かって次第に窄まる傾斜部４１を有し、容器本体の側板１１には、切断刃を収容する凹部１１ａが形成されている。【選択図】図１
0003194978.tif 000002
【実用新案登録請求の範囲】
【請求項１】
ラップフィルムをロールに捲回したラップフィルムロール体を収納するための、上部が開口する直方体状の容器本体と、
その開口端の長辺の一端と接続形成され、該一端を軸として回動して、前記容器本体を開閉自在にすると共に、前垂れ片の内面にラップフィルムを切断するための切断刃を固着した蓋部材と、からなるラップフィルムロール体収納容器において、
前記容器本体の内部に固定され、ラップフィルムロール体を当接支持するガイド部材を更に備え、
前記切断刃は、前記容器本体の内部下方に向かって刃先が傾斜して形成されており、
前記ガイド部材は、前記容器本体下方に向かって次第に窄まる傾斜部を有していることを特徴とするラップフィルムロール体収納容器。
【請求項２】
前記前垂れ片の下部は、前記容器本体の内部下方に向かって屈曲形成された傾斜片部を有し、長尺平板状の切断刃を該傾斜片部内面に固着して形成した請求項１に記載のラップフィルムロール体収納容器。
【請求項３】
短手方向に屈曲形成された長尺状の切断刃を、前記前垂れ片の内面に固着した請求項１に記載のラップフィルムロール体収納容器。
【請求項４】
前記前垂れ片は、前記切断刃の屈曲に沿って屈曲された傾斜片部を有し、該切断刃が、前記前垂れ片の内面に当接固着されている請求項３に記載のラップフィルムロール体収納容器。
【請求項５】
前記容器本体の側板には、前記切断刃を収容するための凹部が形成されている請求項１乃至４のうちのいずれか１項に記載のラップフィルムロール体収納容器。 
【考案の詳細な説明】
【技術分野】
【０００１】
本考案は、ラップフィルムロール体収納容器に関する。更に詳しくは、本考案は、ラップフィルムの切断刃の安全性を高めると共に、ラップフィルムロール体を収納容器内に確実に固定できるラップフィルムロール体収納容器に関する。
【背景技術】
【０００２】
従来、図６に示すように、ラップフィルム５１を必要に応じて切断して使用する、ラップフィルムロール体収納容器４が用いられている。このラップフィルムロール体収納容器４は、ラップフィルム５１をロール５２に捲回したラップフィルムロール体５０を収納するための、上部が開口する直方体状の容器本体８０と、その開口端の長辺の一端８５と接続形成され、一端８５を軸として回動して、容器本体８０を開閉自在にすると共に、前垂れ片７１内面にラップフィルム５１を切断するための切断刃６０を固着した蓋部材７０と、からなる。
【０００３】
ここで、切断刃６０の刃先６１は前垂れ片７１から突出しているため、図７に示すように、手指が触れると怪我をするおそれがある。
また、図６に示すように、ラップフィルムロール体５０は、容器本体８０内部において遊びが大きく、ラップフィルム５１の必要箇所５１ａを引っ張って刃先６１で切断すると、残り部分５１ｂがラップフィルムロール体５０に引っ張られて、容器本体８０の内部に巻き戻されてしまうという問題がある。
この巻き戻しを防止するために、前側板８１の上部に滑り止め材８２を取着して、残り部分５１ｂを付着させる工夫がされている。しかしながら、容器本体８０の内部でラップフィルムロール体５０が揺れ動くと、残り部分５１ｂは、やはり容器本体８０の内部に巻き戻されてしまうのである。
【先行技術文献】
【特許文献】
【０００４】
【特許文献１】実登３１７３８１０号公報
【考案の概要】
【考案が解決しようとする課題】
【０００５】
本考案は、前記の従来の問題を解決するものであり、ラップフィルムの切断刃の安全性を高めると共に、ラップフィルムロール体を収納容器内に確実に固定できるラップフィルムロール体収納容器を提供することを目的とする。
【課題を解決するための手段】
【０００６】
前記課題を解決するための本考案は、以下の通りである。
１．ラップフィルムをロールに捲回したラップフィルムロール体を収納するための、上部が開口する直方体状の容器本体と、
その開口端の長辺の一端と接続形成され、該一端を軸として回動して、容器本体を開閉自在にすると共に、前垂れ片の内面にラップフィルムを切断するための切断刃を固着した蓋部材と、からなるラップフィルムロール体収納容器において、
前記容器本体の内部に固定され、ラップフィルムロール体を当接支持するガイド部材を更に備え、
前記切断刃は、前記容器本体の内部下方に向かって刃先が傾斜して形成されており、
前記ガイド部材は、前記容器本体下方に向かって次第に窄まる傾斜部を有していることを特徴とするラップフィルムロール体収納容器。
２．前記前垂れ片の下部は前記容器本体の内部下方に向かって屈曲形成された傾斜片部を有し、長尺平板状の切断刃を該傾斜片部内面に固着して形成した１．に記載のラップフィルムロール体収納容器。
３．短手方向に屈曲して形成された長尺状の切断刃を前記前垂れ片の内面に固着した１．に記載のラップフィルムロール体収納容器。
４．前記前垂れ片は、前記切断刃の屈曲に沿って屈曲された傾斜片部を有し、該切断刃が、前記前垂れ片の内面に当接固着されている３．に記載のラップフィルムロール体収納容器。
５．前記容器本体の側板には、前記切断刃を収容するための凹部が形成されている１．乃至４．のうちのいずれか１項に記載のラップフィルムロール体収納容器。
【考案の効果】
【０００７】
１．本考案のラップフィルムロール体収納容器は、ラップフィルムロール体を当接支持するガイド部材を備え、容器本体下方に向かって次第に窄まる傾斜部を有しているため、ラップフィルムロール体を収納容器内に確実に固定できる。
そして、切断刃は、前記容器本体の内部下方に向かって刃先が傾斜して形成されているため、安全性を高めることができる。
２．前垂れ片の下部に容器本体の内部下方に向かって屈曲形成された傾斜片部を有し、長尺平板状の切断刃を傾斜片部内面に固着して形成した場合には、簡易な構造で、切断刃の安全性を高めることができる。
３．短手方向に屈曲して形成された長尺状の切断刃を前垂れ片の内面に固着した場合には、前垂れ片を屈曲しなくても切断刃の安全性を高めることができる。
４．前垂れ片は、切断刃の屈曲に沿って屈曲された傾斜片部を有し、切断刃が、前記前垂れ片の内面に当接固着されている場合には、切断刃の刃先が更に確実に内部下方に向かって固定されるため、更に安全性を高めることができる。
５．容器本体の側板に、前記切断刃を収容するための凹部が形成されている場合には、切断刃が凹部に収納されるため、更に安全性を高めることができる。
【図面の簡単な説明】
【０００８】
【図１】本考案の実施形態１に係るラップフィルムロール体収納容器の断面図である。
【図２】本考案の実施形態２に係るラップフィルムロール体収納容器の断面図である。
【図３】本考案の実施形態３に係るラップフィルムロール体収納容器の断面図である。
【図４】本考案の実施形態１に係るラップフィルムロール体収納容器の斜視図である。
【図５】本考案の実施形態１に係るラップフィルムロール体収納容器において、捲回されたラップフィルムの（ａ）量が多い時、（ｂ）ある程度使用後、（ｃ）残りわずかとなった時、のそれぞれのガイド部材とラップフィルムロール体との位置関係を示す断面図である。
【図６】従来例のラップフィルムロール体収納容器の断面図である。
【図７】従来例のラップフィルムロール体収納容器の斜視図である。
【考案を実施するための形態】
【０００９】
以下、本考案の実施形態を示す図１〜５を参照しながら本考案を詳しく説明する。
尚、本考案は、かかる図に記載された具体例に示すものに限られず、目的、用途に応じて種々変更したものとすることができる。
【００１０】
［実施形態１］
実施形態１に係るラップフィルムロール体収納容器１は、図１に示すように、ラップフィルム５１をロール５２に捲回したラップフィルムロール体５０を収納するための、上部が開口する直方体状の容器本体１０を備えている。
そして、その開口端の長辺の一端１５と接続形成され、一端１５を軸として回動して、容器本体１０を開閉自在すると共に、前垂れ片２１の内面にラップフィルムを切断するための切断刃６０を固着した蓋部材２０を備えている。
更に、容器本体１０の内部に固定され、ラップフィルムロール体５０を当接支持するガイド部材４０を備えている。
このガイド部材４０は、容器本体１０下方に向かって次第に窄まる傾斜部４１を有している。
ガイド部材４０はこのような形態を有していれば特に限定はないが、傾斜部４１、４１同士を底部において固着し、更に容器本体１０の底部に固着又は載置固定することができる。そして、傾斜部４１の上端は容器本体１０の両側板の内面に押圧固定することが好ましい。
【００１１】
切断刃６０は、容器本体１０の内部下方に向かって刃先６１が傾斜して形成されている。更に具体的には、前垂れ片２１の下部に容器本体４１の内部下方に向かって屈曲形成された傾斜片部２１ａを有し、長尺平板状の切断刃６０を傾斜片部２１ａ内面に固着して形成している。そして、容器本体１０の側板１１に、前記切断刃を収容するための凹部１１ａが形成されている。こうすることで、図４にも示すように、刃先６１が、凹部１１ａに確実に収納され、更に切断刃６０の安全性を高めることができる。
【００１２】
また、図５（ａ）〜（ｃ）に示すように、ラップフィルムロール体５０のラップフィルム５１が使用により減少した場合においても、容器本体４０下方に向かって次第に窄まる傾斜部４１を有しているため、ラップフィルム５１との当接部４１ａが確保される。そのため、ラップフィルムロール体５０を収納容器４０内に確実に固定できる。
【００１３】
［実施形態２］
実施形態２に係るラップフィルムロール体収納容器２は、図２に示すように、蓋部材３０の前垂れ片３１の内面に、短手方向に刃先６６を屈曲した長尺状の切断刃６５が固着して形成されている。この場合には、前垂れ片３１を屈曲しなくても切断刃６５の安全性を高めることができる。
その他の構成、作用効果については、実施形態１に係るラップフィルムロール体収納容器１と同様である。
【００１４】
［実施形態３］
実施形態３に係るラップフィルムロール体収納容器３は、図３に示すように、屈曲形成された長尺状の切断刃６５を、切断刃６５に沿って屈曲された傾斜片部２１ａを有する前垂れ片２１の内面に当接固着している。
こうすることで、切断刃の刃先６６が、更に確実に内部下方に向かって固定されるため、更に安全性を高めることができる。
その他の構成、作用効果については、実施形態１に係るラップフィルムロール体収納容器１と同様である。
【符号の説明】
【００１５】
１、２、３；ラップフィルムロール体収納容器、１０；容器本体、１１ａ；凹部、１５；一端、２０、３０；蓋部材、２１、３１；前垂れ片、２１ａ；傾斜片部、４０；ガイド部材、４１；傾斜部、５０；ラップフィルムロール体、 ５１；ラップフィルム、５２；ロール、６０、６５；切断刃
【図１】
0003194978.tif 000003
【図２】
0003194978.tif 000004
【図３】
0003194978.tif 000005
【図４】
0003194978.tif 000006
【図５】
0003194978.tif 000007
【図６】
0003194978.tif 000008
【図７】
0003194978.tif 000009
【手続補正書】
【提出日】平成26年10月11日(2014.10.11)
【手続補正１】
【補正対象書類名】図面
【補正対象項目名】図４
【補正方法】変更
【補正の内容】
【図４】
0003194978.tif 000010
【手続補正２】
【補正対象書類名】図面
【補正対象項目名】図７
【補正方法】変更
【補正の内容】
【図７】
0003194978.tif 000011